(57)【要約】      （修正有）【課題】水にぬれても剥がれず、紫外線硬化樹脂を用いながらユーザの爪の曲面にフィットさせることが可能なネイルシールを提供する。【解決手段】ネイルシール５０は、粘着層３２に油性の粘着剤を用いるため、水に濡れても剥がれず、ユーザはこのネイルシール５０を爪に貼着したまま入浴や手洗い、水仕事等を行うことができる。また、このネイルシール５０は、カバー層３８に紫外線硬化樹脂を用い、さらにカバー層３８が所定の厚みとなるように形成する。このため、従来の薄いシート状のネイルシールと比較して立体的で高級感があり、ユーザの爪に貼着した際も違和感の少ない優れた装飾性を有する。また、ユーザの爪に貼着する際には、ドライヤーで加熱しカバー層３８を軟化して行う。これにより、ネイルシール５０がユーザの爪の曲面に沿って湾曲し、ユーザの爪の曲面にフィットした状態で貼着を行うことができる。【選択図】図１
0003231014.tif 000002
【実用新案登録請求の範囲】
【請求項１】
離形シート上に油性の粘着剤で形成された粘着層と、
前記粘着層上に形成された合成樹脂製の下地層と、
前記下地層上に形成された装飾層と、
前記装飾層上に紫外線硬化樹脂で形成され所定の厚みを有するカバー層と、を有することを特徴とするネイルシール。
【請求項２】
カバー層がドライヤーの加熱により軟化して、ユーザの爪の曲面にフィットすることを特徴とする請求項１記載のネイルシール。
【考案の詳細な説明】
【技術分野】
【０００１】
本考案は、ユーザの爪に貼付して装飾するネイルシールに関するものである。
【背景技術】
【０００２】
近年、手指の爪に絵柄を描き込んだり人工爪やストーン等の装飾物を貼付したりするネイルアートが広く一般に普及している。尚、ネイルアートでは爪への接着剤として透明で且つ紫外線を照射することで硬化する紫外線硬化樹脂が多く用いられる。また、特殊な技能や機材を必要とせずユーザ自身が簡単に行えるネイルアートとして、例えば下記［特許文献１］に示すような、予め絵柄が描き込まれた爪型シールをユーザの爪に貼付するネイルシールも商品化されている。
【先行技術文献】
【特許文献】
【０００３】
【特許文献１】実開平１−６２７０５号公報
【考案の概要】
【考案が解決しようとする課題】
【０００４】
しかしながら、従来のネイルシールは一般的に水性の粘着剤が用いられ、入浴や手洗い、水仕事等を行うと爪から剥がれるという問題点がある。また、ネイルアートで多く用いられている紫外線硬化樹脂は透明で厚み調整が容易なためネイルシールにも有用と考えられる。しかしながら、硬化後の紫外線硬化樹脂は柔軟性に乏しく、ユーザの爪の曲面に沿って湾曲させることが難しいという問題点がある。
【０００５】
本考案は上記事情に鑑みてなされたものであり、水にぬれても剥がれないネイルシールの提供を目的とする。また、紫外線硬化樹脂を用いながらユーザの爪の曲面にフィットさせることが可能なネイルシールの提供を目的とする。
【課題を解決するための手段】
【０００６】
本考案は、
（２）離形シート３０上に油性の粘着剤で形成された粘着層３２と、
前記粘着層３２上に形成された合成樹脂製の下地層３４と、
前記下地層３４上に形成された装飾層３６と、
前記装飾層３６上に紫外線硬化樹脂で形成され所定の厚みを有するカバー層３８と、を有することを特徴とするネイルシール８０を提供することにより、上記課題を解決する。
（２）カバー層３８がドライヤーの加熱により軟化して、ユーザの爪の曲面にフィットすることを特徴とする上記（１）記載のネイルシール８０を提供することにより、上記課題を解決する。
【考案の効果】
【０００７】
本考案に係るネイルシール５０は、粘着層３２に油性の粘着剤を用いるため、水に濡れても剥がれず、ユーザは本考案に係るネイルシール５０を爪に貼着したまま入浴や手洗い、水仕事等を行うことができる。
また、本考案に係るネイルシール５０は、カバー層３８に紫外線硬化樹脂を用い、さらにカバー層３８が所定の厚みとなるように形成する。このため、従来の薄いシート状のネイルシールと比較して立体的で高級感があり、ユーザの爪に貼着した際も違和感の少ない優れた装飾性を有する。また、ユーザの爪に貼着する際には、ドライヤーで加熱しカバー層３８を軟化して行う。これにより、ネイルシール５０がユーザの爪の曲面に沿って湾曲し、ユーザの爪の曲面にフィットした状態で貼着を行うことができる。
【図面の簡単な説明】
【０００８】
【図１】本考案に係るネイルシールの層構成を示す概略図である。
【図２】本考案に係るネイルシールの製造方法を説明する図である。
【考案を実施するための形態】
【０００９】
本考案に係るネイルシールの実施の形態について図面に基づいて説明する。ここで、図１は本考案に係るネイルシール５０の層構成を示す概略図である。図１に示す本考案に係るネイルシール５０は、表面に離形処理が施された離形シート３０上に形成された粘着層３２と、この粘着層３２上に形成された下地層３４と、この下地層３４上に形成された装飾層３６と、この装飾層３６上に形成されたカバー層３８と、を有している。尚、ネイルシール５０は、基本的に１枚の離形シート３０上に複数個形成することが好ましい。
【００１０】
また、ネイルシール５０に用いる離形シート３０（セパフィルム）は、ポリエチレンテレフタレートフィルム（ＰＥＴフィルム）やポリエチレン、塩化ビニル等の周知の合成樹脂からなる本体シート３０ａと、この本体シート３０ａの少なくとも一方の面に形成された離形層３０ｂとで構成される。この離形層３０ｂはシリコン系離型剤の塗布により形成することが好ましいが、フッ素樹脂、天然ワックス、ポリエチレンあるいはポリプロピレン系ワックス、高級脂肪酸または高級脂肪酸エステル及びその金属塩などを用いても良い。
【００１１】
また、離形シート３０上に設けられる粘着層３２は、離形シート３０から剥離したネイルシール５０をユーザの爪に接着するためのものであり、例えばアクリル等の合成樹脂と酢酸エチル、アセトン等の有機溶剤とを混合した周知の油性粘着剤（油性接着剤）を用いる。
【００１２】
また、粘着層３２上に設けられる下地層３４は装飾層３６のベースとなるものであり、アクリル系樹脂やウレタン系樹脂、酢酸ビニル系樹脂等の周知の合成樹脂を用いることができる。また、下地層３４はある程度の可撓性を有する軟質な材料で形成することが好ましい。尚、下地層３４は透明であっても良いし、樹脂に所定の色素を混合するなどして着色しても良い。また、必要に応じてラメ等を入れても良い。
【００１３】
また、ネイルシール５０の装飾層３６に関しては特に限定はないが、下地層３４上に所定の絵柄や模様等を印刷により形成したものが好ましく。なかでもインクジェット印刷により形成することが特に好ましい。このインクジェット印刷による装飾層３６の形成方法は、絵柄を印刷するためのスクリーンの製版が不要であり、製版コストの削減と商品開発に要する時間短縮とを図ることができる。特に装飾層３６を多色刷で行う場合、色毎の製版が不要となり更なるコスト削減を図ることができる。また、インクジェット印刷ではグラデーション処理やブラシ処理等を微細に印刷することが可能なため、より色鮮やかで綺麗な装飾層３６を形成することができる。さらに、インクジェット印刷を用いることによりコンピュータ上で作成した絵柄、模様、デザイン等を直接印刷することができ、多種多様な商品バリエーションを短期間で商品化することができる。また、商品試作や色確認を容易に行うことが可能で、商品開発を迅速に行うことができる。尚、装飾層３６は上記のインクジェット印刷とスクリーン印刷とを組み合わせても良い他、後述のカバー層３８の形成を阻害しなければ、金属箔、ラメ、ストーン、スタッズ等の周知のネイル部材を用いても良い。
【００１４】
また、カバー層３８は紫外線の照射により硬化する周知の紫外線硬化樹脂等が用いられ、これを厚く塗布することで硬化後に所定の厚みとする。尚、カバー層３８の層厚及び盛り上がりの程度は、カバー層３８となる紫外線硬化樹脂の塗布量と粘度により調整することが可能である。また、カバー層３８は透明が好ましいが、紫外線硬化樹脂に所定のインクを混ぜるなどして着色しても良い。また、必要に応じてラメ等を入れても良い。
【００１５】
次に、ネイルシール５０の製造方法の一例を図２を用いて説明する。先ず、略爪型形状の開口が複数形成されたスクリーンを用い、離形シート３０の離形層３０ｂ上に適切な粘度の油性粘着剤をスクリーン印刷する。これにより、離形シート３０上にはスクリーンの開口と同等の略爪型形状に油性粘着剤が塗布される。次に、離形シート３０上の粘着剤を適度に乾燥する。これにより、図２（ａ）に示すように、離形シート３０上に粘着層３２が形成される。
【００１６】
次に、粘着層３２上に下地層用の合成樹脂を同様にスクリーン印刷する。次に、印刷された合成樹脂を所定の条件の乾燥等により硬化する。これにより、図２（ｂ）に示すように、略爪型形状の粘着層３２上に同形状の下地層３４が形成される。
【００１７】
次に、下地層３４上に装飾層３６を形成する。この装飾層３６の形成は前述のように所定の絵柄、模様、デザイン等をインクジェット印刷により行うことが好ましい。これにより、図２（ｃ）に示すように、略爪型形状の下地層３４上に装飾層３６が形成される。
【００１８】
次に、略爪型形状の装飾層３６上に紫外線硬化樹脂を所定の厚みとなるようにスクリーン印刷する。次に、紫外線を照射して、この紫外線硬化樹脂を硬化する。これにより、図２（ｄ）に示すように、装飾層３６上に所定の厚みを有するカバー層３８が形成され、本考案に係るネイルシール５０が完成する。尚、本考案に係るネイルシール５０はある程度の厚みを有するカバー層３８を備えているため、従来の薄いシート状のネイルシールと比較して立体的で高級感があり、ユーザの爪に貼着した際も違和感の少ない優れた装飾性を有する。
【００１９】
そして、このようにして製造されたネイルシール５０は、離形シート３０からネイルシール５０を剥離し、ネイルシール５０の粘着層３２をユーザの爪に貼着することで使用する。この際、ドライヤーによって温風を吹きかけてネイルシール５０の特にカバー層３８を加熱する。これにより、カバー層３８が軟化しユーザは軟化したネイルシール５０を自身の爪に押し付けて貼付することで、ネイルシール５０がユーザの爪の曲面に沿って湾曲し、ユーザの爪の曲面にフィットした状態での貼着が可能となる。
【００２０】
以上のように、本考案に係るネイルシール５０は、粘着層３２に油性の粘着剤を用いるため、水に濡れても剥がれず、ユーザは本考案に係るネイルシール５０を爪に貼着したまま入浴や手洗い、水仕事等を行うことができる。
【００２１】
また、本考案に係るネイルシール５０は、カバー層３８に透明度の高い紫外線硬化樹脂を用い、さらにカバー層３８が所定の厚みとなるように形成する。このため、従来の薄いシート状のネイルシールと比較して立体的で高級感があり、ユーザの爪に貼着した際も違和感の少ない優れた装飾性を有する。また、ユーザの爪に貼着する際には、ドライヤーで加熱しカバー層３８を軟化して行う。これにより、ネイルシール５０がユーザの爪の曲面に沿って湾曲し、ユーザの爪の曲面にフィットした外観上違和感の少ない自然な状態で貼着を行うことができる。
【００２２】
尚、本例で示したネイルシール５０は一例であり、装飾層３６を含む各層の形成方法、硬化方法、材質、構成その他は特にこれに限定されるものではなく、本考案は本考案の要旨を逸脱しない範囲で変更して実施することが可能である。
【符号の説明】
【００２３】
３０    離形シート
３２    粘着層
３４    下地層
３６    装飾層
３８    カバー層
５０    ネイルシール
【図１】
0003231014.tif 000003
【図２】
0003231014.tif 000004